(57)【要約】【課題】シャッタ全開時間内に有効発光時間が収まる場合には単発発光制御を優先し、単発発光での同調秒時を短縮する。【解決手段】フォーカルプレーンシャッタを備えたカメラに適用され、単発発光制御およびフラット発光制御が選択可能な制御部を有する閃光装置において、前記制御部は、シャッタ全開時間を検知する全開時間検知手段と、必要発光量の情報を取得する必要発光量取得手段と、完全発光する前に発光を停止させて有効発光時間で単発発光を行う発光制御手段と、前記必要発光量に対応する前記有効発光時間を演算する演算手段と、前記シャッタ全開時間および前記有効発光時間を比較する比較手段とを有し、前記制御部は、前記シャッタ全開時間が前記有効発光時間よりも長い場合には、本発光に単発発光制御を選択し、完全発光する前に発光を停止させて前記有効発光時間に合わせて単発発光を行ない、前記シャッタ全開時間がない場合または前記シャッタ全開時間が前記有効発光時間より短い場合には、フラット発光制御を選択して本発光を行うことを特徴とする。【選択図】      図１
2004361445.tif 000002
【特許請求の範囲】
【請求項１】
フォーカルプレーンシャッタを備えたカメラに適用され、単発発光制御およびフラット発光制御が選択可能な制御部を有する閃光装置において、
前記制御部は、シャッタ全開時間を検知する全開時間検知手段と、必要発光量の情報を取得する必要発光量取得手段と、完全発光する前に発光を停止させて有効発光時間で単発発光を行う発光制御手段と、前記必要発光量に対応する前記有効発光時間を演算する演算手段と、前記シャッタ全開時間および前記有効発光時間を比較する比較手段とを有し、
前記制御部は、前記シャッタ全開時間が前記有効発光時間よりも長い場合には、本発光に単発発光制御を選択し、完全発光する前に発光を停止させて前記有効発光時間に合わせて単発発光を行ない、前記シャッタ全開時間がない場合または前記シャッタ全開時間が前記有効発光時間より短い場合には、フラット発光制御を選択して本発光を行うことを特徴とする閃光装置。
【請求項２】
前記制御部は、単発発光の発光量と前記発光量での有効発光時間との対応関係を記憶した有効発光時間記憶手段をさらに有し、
前記演算手段が、前記必要発光量を前記有効発光時間記憶手段の情報に照会して、前記必要発光時間に対応する前記有効発光時間が演算されることを特徴とする請求項１に記載の閃光装置。
【請求項３】
前記制御部は、前記必要発光量およびシャッタ時間から前記フラット発光制御の使用波高値を選択する波高値選択手段と、前記使用波高値でのフラット発光が、先幕走行開始から後幕走行終了までの発光維持時間の間維持可能かを判定する判定手段とをさらに有し、
前記制御部は、フラット発光制御時に前記判定手段が維持不可能と判定した場合には、前記波高値選択手段が、前記発光維持時間の間フラット発光を維持可能な最大波高値を前記使用波高値として選択することを特徴とする請求項１または請求項２に記載の閃光装置。
【請求項４】
前記制御部は、波高値と前記波高値でフラット発光を維持可能な発光最長時間との対応関係を記憶した波高値記憶手段をさらに有し、
前記波高値選択手段が、前記発光維持時間を前記波高値記憶手段の情報に照会して、前記最大波高値が選択されることを特徴とする請求項３に記載の閃光装置。
【請求項５】
前記制御部は、電圧検出手段をさらに有し、
前記判定手段が、前記電圧検出手段で検出された充電電圧情報を参照して、前記使用波高値でのフラット発光が前記発光維持時間以上維持可能か判定することを特徴とする請求項３または請求項４に記載の閃光装置。
【請求項６】
前記必要発光量取得手段は、本発光に先立つモニタ発光によって必要発光量の情報を取得することを特徴とする請求項１から請求項５のいずれか１項に記載の閃光装置。
【発明の詳細な説明】
【０００１】
【発明の属する技術分野】
本発明は、フォーカルプレーンシャッタを備えたカメラに使用される、単発発光制御およびフラット発光制御が可能な閃光装置に関する。
【０００２】
【従来の技術】
写真撮影用のカメラ等の閃光装置として、コンデンサに蓄積した電荷を用いてキセノン発光管を発光させる閃光装置が従来から使用されている。一般に、フォーカルプレーンシャッタを備えたカメラでは、先幕が走行してから後幕が走行するまでのシャッタ時間（露光領域が露出する時間）内に閃光装置の発光が完了しないと、露光領域の場所によって閃光装置の照明がムラになる。そのため、従来のカメラでは、シャッタの走行速度を高速にすることで、高速のシャッタ時間でも閃光装置を用いた撮影をできるように努力してきた。
【０００３】
しかし、シャッタ幕の走行速度よりも早いシャッタ時間が要求される場合、先幕の走行完了前に後幕の走行が開始する。この場合には、露光領域全体が露出する時間（シャッタ全開時間）が存在しないため、キセノン発光管を単発発光させる単発発光での撮影では、露光領域全体を均一に露光して撮影することができない。
【０００４】
そのため、シャッタの走行速度よりも早いシャッタ時間の撮影の場合には、閃光装置のキセノン発光管を連続的に発光させることが行われている。この発光方式は、フラット発光またはＦＰ発光などと称されている（特許文献１参照）。
なお、本撮影時の発光（本発光）での必要発光量は、本発光に先立ってキセノン発光管を微少発光させるモニタ発光により取得される。そして、カメラの自動露出の演算では、本発光の単位時間当たりの発光量を波高値およびシャッタ時間の積から演算して、本発光での使用波高値が決定される。
【０００５】
【特許文献１】
特開平９−７３１１８号公報
【０００６】
【発明が解決しようとする課題】
ここで、上記の閃光装置の発光方式の選択では、単発発光の発光時間は完全発光時の発光時間を基準とし、この完全発光時の発光時間よりもシャッタ時間が短い場合にはフラット発光を行っているのが通常である。しかし、フラット発光制御はキセノン発光管の高速スイッチングで実現されているので損失が非常に大きく、発光量が多い場合には後幕走行中に光量が急減して光量不足となる場合もある。したがって、フラット発光の利用は可能な限り避けるのが好ましい。
【０００７】
また、単発発光の発光エネルギの大部分は発光直後に集中しているので、単発発光を完全発光の前に中断させた場合でも、安定して高い光量を実現できる場合がある。そのため、完全発光時の発光時間よりもシャッタ時間が短い場合でも、フラット発光で撮影する場合よりも単発発光で撮影した場合の方が却って好ましい結果となることも起こり得る。
【０００８】
さらに、閃光装置をフラット発光制御する場合、先幕走行開始から後幕走行完了までの発光維持時間の間だけ、キセノン発光管を一定の発光量で連続的に発光させる必要がある。しかし、単位時間当たりの発光量から決定された使用波高値では、発光維持時間の間、均一な発光を維持できない場合も起こり得た。
【０００９】
本発明は上記従来技術の課題を解決するためにされたものであり、その目的は、単発発光の同調秒時を短縮し、単発発光制御を優先することで露光量不足を避けることである。
また、本発明の他の目的は、閃光装置をフラット発光制御する場合に、発光維持時間の間、安定したフラット発光を実現し、写真の露光ムラを防止することである。
【００１０】
【課題を解決するための手段】
請求項１の発明は、フォーカルプレーンシャッタを備えたカメラに適用され、単発発光制御およびフラット発光制御が選択可能な制御部を有する閃光装置において、前記制御部は、シャッタ全開時間を検知する全開時間検知手段と、必要発光量の情報を取得する必要発光量取得手段と、完全発光する前に発光を停止させて有効発光時間で単発発光を行う発光制御手段と、前記必要発光量に対応する前記有効発光時間を演算する演算手段と、前記シャッタ全開時間および前記有効発光時間を比較する比較手段とを有し、前記制御部は、前記シャッタ全開時間が前記有効発光時間よりも長い場合には、本発光に単発発光制御を選択し、完全発光する前に発光を停止させて前記有効発光時間に合わせて単発発光を行ない、前記シャッタ全開時間がない場合または前記シャッタ全開時間が前記有効発光時間より短い場合には、フラット発光制御を選択して本発光を行うことを特徴とする。
【００１１】
請求項２の発明は、請求項１に記載の発明において、前記制御部は、単発発光の発光量と前記発光量での有効発光時間との対応関係を記憶した有効発光時間記憶手段をさらに有し、前記演算手段が、前記必要発光量を前記有効発光時間記憶手段の情報に照会して、前記必要発光時間に対応する前記有効発光時間が演算されることを特徴とする。
【００１２】
請求項３の発明は、請求項１または請求項２に記載の発明において、前記制御部は、前記必要発光量およびシャッタ時間から前記フラット発光制御の使用波高値を選択する波高値選択手段と、前記使用波高値でのフラット発光が、先幕走行開始から後幕走行終了までの発光維持時間の間維持可能かを判定する判定手段とをさらに有し、前記制御部は、フラット発光制御時に前記判定手段が維持不可能と判定した場合には、前記波高値選択手段が、前記発光維持時間の間フラット発光を維持可能な最大波高値を前記使用波高値として選択することを特徴とする。
【００１３】
請求項４の発明は、請求項３に記載の発明において、前記制御部は、波高値と前記波高値でフラット発光を維持可能な発光最長時間との対応関係を記憶した波高値記憶手段をさらに有し、前記波高値選択手段が、前記発光維持時間を前記波高値記憶手段の情報に照会して、前記最大波高値が選択されることを特徴とする。
請求項５の発明は、請求項３または請求項４に記載の発明において、前記制御部は、電圧検出手段をさらに有し、前記判定手段が、前記電圧検出手段で検出された充電電圧情報を参照して、前記使用波高値でのフラット発光が前記発光維持時間以上維持可能か判定することを特徴とする。
【００１４】
請求項６の発明は、請求項１から請求項５のいずれか１項に記載の発明において、前記必要発光量取得手段は、本発光に先立つモニタ発光によって必要発光量の情報を取得することを特徴とする。
【００１５】
（作用）
請求項１の発明では、発光制御手段は、完全発光時よりも短い有効発光時間で単発発光を中断させることが可能である。演算手段は、必要発光量に対応する有効発光時間を演算する。比較手段は、全開時間検知手段により検知されたシャッタ全開時間と有効発光時間を比較する。そして、シャッタ全開時間が有効発光時間よりも長い場合には、制御部は本発光に単発発光制御を選択し、完全発光する前に発光を停止させて有効発光時間に合わせて単発発光を行なう。一方、シャッタ全開時間がない場合またはシャッタ全開時間が有効発光時間より短い場合には、制御部はフラット発光を選択して本発光を行う。
【００１６】
請求項２の発明では、制御部の演算手段が、必要発光量を有効発光時間記憶手段の情報に照会し、この単発発光情報記憶手段の情報に基づいて、必要発光時間に対応する有効発光時間が演算される。
請求項３の発明では、波高値選択手段の選択した使用波高値でのフラット発光が、判定手段によって発光維持時間の間維持可能かを判定される。判定手段が維持不可能と判定した場合、制御部は、発光維持時間の間フラット発光を維持可能な最大波高値でフラット発光制御を行う。
【００１７】
請求項４の発明では、波高値選択手段が、発光維持時間を波高値記憶手段の情報に照会し、この波高値記憶手段の情報に基づいて、その発光維持時間での最大波高値が選択される。
請求項５の発明では、電圧検出手段で検出された充電電圧情報を参照して、判定手段が、波高値選択手段の選択した使用波高値でのフラット発光が発光維持時間以上維持可能か判定する。
【００１８】
請求項６の発明では、必要発光量取得手段は、本発光に先立つモニタ発光によって必要発光量の情報を取得する。
【００１９】
【発明の実施の形態】
以下、図面に基づいて本発明の実施の形態を詳細に説明する。
【００２０】
（第１実施形態の構成）
図１は、第１実施形態の閃光装置１００と、この閃光装置１００を装備したカメラ２００の構成を示す図である。
図１に示す閃光装置１００は、各回路に電圧を供給する電源１、電源スイッチ２、コンデンサ３、昇圧回路４、電圧検出回路５、発光制御回路６、制御回路７、測光回路８、演算回路９、記憶部１０、インターフェース回路１１およびキセノン発光管１２を備えて構成される。
【００２１】
閃光装置１００のコンデンサ３は、発光のエネルギを蓄えるメインコンデンサである。昇圧回路４は、制御回路７の指示によって供給された電圧を昇圧してコンデンサ３を充電する。電圧検出回路５は、コンデンサ３の端子間電圧を検出する。発光制御回路６はＩＧＢＴ等のスイッチング素子を内部に有し、コンデンサ３の蓄積電荷をキセノン発光管１２に供給または停止して、キセノン発光管１２の発光を制御する。
【００２２】
制御回路７には、信号ラインＢＬＫ、ＭＯＮ、ＴＧ、ＳＴＰの一端が接続されている。信号ラインＢＬＫの他端は昇圧回路４に接続されている。信号ラインＢＬＫでは、昇圧動作の開始を示す信号（例えば、ハイレベル「Ｈ」）および停止を示す信号（例えば、ローレベル「Ｌ」）が、制御回路７から昇圧回路４に出力される。信号ラインＭＯＮの他端は電圧検出回路５に接続されている。信号ラインＭＯＮでは、電圧検出回路からの充電電圧情報信号が制御回路７に出力される。
【００２３】
ここで、閃光装置１００で電源スイッチ２がオンされると、制御回路７は信号ラインＢＬＫを「Ｈ」にして昇圧回路４を作動させる。これにより、昇圧回路４が供給された電圧を昇圧してコンデンサ３を充電する。そして、制御回路７は、電圧検出回路５の信号ラインＭＯＮから出力される充電電圧情報信号で、コンデンサ３の充電量をモニタする。コンデンサ３の充電量が所定の閾値に到達したとき（例えば、コンデンサ３が発光可能電圧または充電完了電圧に到達したとき）には、制御回路７は、信号ラインＢＬＫを「Ｌ」にして昇圧回路４の昇圧動作を停止させる。なお、制御回路７は、昇圧動作停止後もコンデンサ３の充電量が所定値を維持するように、昇圧回路４を断続的に動作させる。
【００２４】
信号ラインＴＧおよびＳＴＧの他端は発光制御回路６に接続されている。信号ラインＴＧではキセノン発光管１２の発光開始を示す信号が、信号ラインＳＴＰではキセノン発光管１２の発光停止を示す信号が、それぞれ制御回路７から発光制御回路６に出力される。なお、キセノン発光管１２は、信号ラインＳＴＰを「Ｈ」にしてもしばらく発光が続くため、信号ラインＳＴＰの「Ｈ」と「Ｌ」の切り換えを高速で行うことで、フラット発光制御が実現される。
【００２５】
また、この制御回路７には、キセノン発光管１２の発光量を計測する測光回路８と、演算回路９と、記憶部１０と、インターフェース回路１１とが接続されている。
演算回路９はマイクロプロセッサなどで構成されている。この演算回路９は、制御回路７およびインターフェース回路１１、２９を介してカメラ２００の演算制御回路２８と情報を交換する。なお、閃光装置１００とカメラ２００との間で交換される情報は、以下のようなものである。例えば、カメラ２００側からはシャッター速度、シャッターのスリット幅、シャッターの幕速、シャッタ時間、シャッタ全開時間、本発光の必要発光量、発光維持時間、絞り値、撮影距離、露光モード、レンズの焦点距離およびＩＳＯ感度などであり、電子閃光装置１００側からはモニタ発光のガイドナンバー（ＧＮ）、充電状況および調光モードなどである。
【００２６】
また、演算回路９は、単発発光とフラット発光の選択と、フラット発光制御での波高値決定を行う。
演算回路９は、単発発光またはフラット発光の選択時に以下の処理を実行する。第１に、演算回路９はシャッタ全開時間（露光領域全体が露出する時間）を検知する。第２に、演算回路９は記憶部１０に照会して、必要発光量に対応する有効発光時間の情報を取得する。第３に、演算回路９はシャッタ全開時間および有効発光時間を比較して、本発光を単発発光制御またはフラット発光制御のいずれで行かを決定する。
【００２７】
ここで、有効発光時間は、キセノン発光管１２を完全発光時よりも前に発光停止した場合において、発光エネルギの約７０％〜８０％が含まれる時間を意味する。すなわち、本発明の有効発光時間は、キセノン発光管１２の消灯開始から完全消灯するまでの発光時間とは相違する。
【００２８】
図２はキセノン発光管１２の単発発光の発光波形を示す図である。図２実線は、キセノン発光管１２を完全発光前に発光停止させた場合の発光波形を示し、図２波線は、キセノン発光管１２を完全発光させた場合の発光波形を示す。従来は、キセノン発光管１２を完全発光させた場合の発光時間を基準にして、この発光時間がシャッタ全開時間より長い場合にフラット発光制御が選択されていた。
【００２９】
しかし、単発発光で必要発光量が少ない場合には、必要発光量が得られた時点で完全発光前に発光を停止させても支障はない。そこで、本発明では、発光エネルギの約７０％〜８０％が含まれる有効発光時間を基準とし、有効発光時間がシャッタ全開時間より長い場合にフラット発光制御を選択するようにした。
なお、キセノン発光管１２は発光停止した後もしばらく微少発光が続き、厳密には微少な露光ムラが発生するが、本発明ではこの微少発光の影響はないものとみなして、微少発光中に後幕の走行を許容するものである。
【００３０】
また、演算回路９は、フラット発光制御での波高値決定時に以下の処理を実行する。第１に、演算回路９は、シャッタ時間および必要発光量から、フラット発光制御の使用波高値を選択する。第２に、演算回路９は、使用波高値でのフラット発光が発光維持時間（先幕走行開始から後幕走行完了までの時間）の間維持可能かを判定する。
【００３１】
ここで、フラット発光で使用波高値を選択するのは以下の理由による。フラット発光制御の場合、キセノン発光管を発光維持時間の間、一様に連続発光させる必要がある。しかし、一般に、カメラの自動露出の演算では、一様な連続発光が可能な波高値ではなく、本発光で要求される単位時間当たりの発光量を基準として、本発光での使用波高値が決定されていた。したがって、単位時間当たりの必要発光量を実現できるが、一様な連続発光が確保できない波高値の場合、図３（ｂ）に示すように、露光期間の後半で発光量が次第に小さくなってしまう。この場合には、場所によってフイルムの露光に大きなムラができ、写真の出来はかなりひどいものとなる。
【００３２】
一方で、図３（ａ）に示すように、最大波高値でのフラット発光制御を行った場合には、均一な発光が発光維持時間の間維持されているため露光ムラは発生しない。そのため、最大波高値のフラット発光では、本来必要とされる波高値を下回るため全体的に露光不足ではあるが、後処理による修正が可能であるため、写真としてかなり状態のよいものになる可能性は高い。本発明では、最大波高値でフラット発光を行うことで、露光不足を容認しても露光ムラを防止して、状態のよい写真を得るようにするものである。
【００３３】
記憶部１０には、次の２種類の情報が記録されている。まず、記憶部１０には、単発発光の発光量とその発光量での有効発光時間の対応関係の情報が記録されている。また、記憶部１０には、フラット発光制御の波高値と、その波高値でフラット発光を維持可能な発光最長時間との対応関係の情報が記録されている。
インターフェース回路１１は、閃光装置１００およびカメラ２００の間で送受信される信号のレベルなどを調整する。
【００３４】
一方、カメラ２００は、撮影レンズ２０、絞り２１、クイックリターンミラー２２、スクリーン２３、ペンタプリズム２４、接眼レンズ２５、フォーカルプレーンシャッタ２６、フイルム２７からなる撮影機構を有している。このカメラ２００の撮影機構は、演算制御回路２８によって制御される。このカメラ２００の演算制御回路２８は、撮影に必要な諸量、例えば、絞り値、フォーカスおよび本撮影時の発光（本発光）の発光量などを演算する。
【００３５】
さらに、演算制御回路２８には、信号レベルを調節するインターフェース回路２９と、被写体輝度を測定する調光用測光センサ３０が接続されている。この調光用測光センサ３０は、撮影レンズ２０から入射する被写体の反射光を、フォーカルプレーンシャッタ２６で反射させて測光する。
【００３６】
（第１実施形態の動作）
次に、本実施形態の閃光装置１００およびカメラ２００の動作について、図４の流れ図を参照しつつ説明する。
カメラ２００の演算制御回路２８は、図示しないシャッタレリーズスイッチの半押し等の所定の入力があった場合、フォーカスを演算して撮影機構のフォーカスを調整するなど、撮影機構について撮影を準備する（Ｓ１）。
【００３７】
シャッターレリーズスイッチが押されると、演算制御回路２８は、インターフェース回路２９、１１、制御回路７を介して、閃光装置１００の演算回路９にモニタ発光を指示する（Ｓ２）。なお、演算制御回路２８は、モニタ発光に先だってクイックリターンミラー２２を跳ね上げさせ、クイックリターンミラー２２を撮影光路から待避させる。
【００３８】
演算回路９は、モニタ発光の指示を受信すると、制御回路７に信号ラインＴＧを「Ｈ」にするよう指示する（Ｓ１０１）。発光制御回路６は、信号ラインＴＧが「Ｈ」になったことを検出すると、信号ラインＳＴＰの「Ｈ」を検出するまで、キセノン発光管を所定の発光強度で単発発光させてモニタ発光を行う。なお、このモニタ発光は複数回行われれることもある。
【００３９】
閃光装置１００の測光回路８はキセノン発光管１２の発光量を測定し、測定結果を演算回路９に通知するとともに、制御回路７にモニタ発光の終了を指示する（Ｓ１０２）。そして、制御回路７は信号ラインＳＴＰを「Ｈ」にしてキセノン発光管１２の発光を終了させる。また、演算回路９は、測光回路８から通知を受けると、カメラ２００の演算制御回路２８にモニタ発光の終了とモニタ発光のガイドナンバーとを通知する（Ｓ１０３）。
【００４０】
一方、モニタ発光の際には、カメラ２００の調光用測光センサ３０は、撮影レンズ２０を介して被写体の反射光量を計測し、被写体輝度を計測する。演算制御回路２８は、モニタ発光の終了通知を受けると、調光用測光センサ３０から被写体輝度を取得する（Ｓ３）。演算制御回路２８は、撮影距離、適正露出値およびＩＳＯ感度を考慮し、公知の演算方法で本発光の必要発光量を演算する（Ｓ４）。そして、演算制御回路２８は、閃光装置１００の演算回路９に本発光の必要発光量、シャッタ時間、シャッタ全開時間等の情報を通知する（Ｓ５）。
【００４１】
閃光装置１００の演算回路９は、カメラ２００から通知された情報から、シャッタ全開時間を検出する（Ｓ１０４）。シャッタ全開時間が存在する場合（ＹＥＳ側）には、演算回路９はステップＳ１０５に動作を移行する。一方、シャッタ全開時間が存在しない場合（ＮＯ側）には、演算回路９はステップＳ１０８に動作を移行する。
【００４２】
シャッタ全開時間が存在する場合、演算回路９は、記憶部１０に照会して、必要発光量以上の発光量という条件で記憶部１０の情報を検索する。そして、必要発光量に対応する有効発光時間の情報を記憶部１０から取得する（Ｓ１０５）。
次に、演算回路９は、必要発光量に対応する有効発光時間とシャッタ全開時間を比較して、有効発光時間がシャッタ全開時間以下か否か判定する（Ｓ１０６）。有効発光時間がシャッタ全開時間以下の場合（ＹＥＳ側）には、演算回路９は制御回路７および発光制御回路６を介して、キセノン発光管１２を有効発光時間に合わせて単発発光制御で本発光させる（Ｓ１０７）。一方、有効発光時間がシャッタ全開時間未満の場合（ＮＯ側）には、演算回路９はステップＳ１０８に動作を移行する。
【００４３】
シャッタ全開時間が存在しない場合（Ｓ１０４のＮＯ側）または有効発光時間がシャッタ全開時間未満の場合（Ｓ１０７のＮＯ側）には、閃光装置１００はフラット発光制御を行う。そして、演算回路９は、シャッタ時間と必要発光量の情報から使用波高値を計算し、フラット発光の使用波高値を選択する（Ｓ１０８）。次に演算回路９は、選択された使用波高値でのフラット発光が発光維持時間の間、維持可能か否かの判定を行う（Ｓ１０９）。
【００４４】
判定結果が維持可能な場合（ＹＥＳ側）には、演算回路９は、制御回路７および発光制御回路６を介して、使用波高値で発光維持時間の間、キセノン発光管１２をフラット発光で本発光させる（Ｓ１１０）。
また、判定結果が維持不可能な場合（ＮＯ側）には、演算回路９は、記憶部１０に照会して、発光維持時間以上の発光最長時間という条件で記憶部１０の情報を検索する。そして、その発光最長時間に対応する波高値の情報を記憶部１０から取得する。演算回路９は、取得された波高値から最大の波高値（最大波高値）を使用波高値に選択する（Ｓ１１１）。演算回路９は、制御回路７および発光制御回路６を介して、最大波高値で発光維持時間の間、キセノン発光管１２をフラット発光で本発光させる（Ｓ１１２）。制御回路７は、本発光の終了と同時に、カメラ２００の演算制御回路２８に本発光の終了通知を行う（Ｓ１１３）。
【００４５】
一方、カメラ２００の演算制御回路２８は、閃光装置１００のキセノン発光管１２の発光に同期して、所定のタイミングでフォーカルプレーンシャッタ２６の先幕および後幕を走行させて、フイルム２７に露光を行う。そして、フイルム２７の露光終了後に、カメラ２００の演算制御回路２８は、撮影光路にクイックリターンミラー２２を戻して、フイルム２７を１駒分巻き上げて、次回撮影の待機状態になる（Ｓ６）。
【００４６】
（実施形態の補足事項）
以上、本発明を上記の実施形態によって説明してきたが、本発明の技術的範囲は上記実施形態に限定されるものではない。例えば、第１実施形態では、シャッタ全開時間と有効発光時間が等しい場合には単発発光制御で撮影するが、シャッタ全開時間と有効発光時間が等しい場合にフラット発光制御で撮影するようにしてもよい。また、第１実施形態では、モニタ発光で必要発光量を取得しているが、マニュアルで設定された必要発光量に従って動作するようにしてもよい。
【００４７】
また、閃光装置のコンデンサの充電量によっても、フラット発光制御の波高値と発光維持時間の関係が変化するので、電圧検出回路からの充電電圧情報に応じて、演算回路がフラット発光の維持可能性を判定するようにしてもよい。そして、記憶部には、各充電電圧ごとの波高値と発光最長時間との対応関係を記憶させ、各充電電圧ごとに最大波高値が容易に求られるようにしてもよい。
【００４８】
さらに、上記実施形態はフイルム式カメラの例で説明してきたが、本発明の閃光装置は、フォーカルプレーンシャッタ式のカメラであれば、ＣＣＤまたはＣＭＯＳ等の撮像素子を用いた電子カメラに適用することも勿論可能である。
さらにまた、上記実施形態の閃光装置はカメラから独立した外付け型の閃光装置の例であるが、本発明の閃光装置は、カメラ内蔵型の閃光装置に適用することもできる。
【００４９】
【発明の効果】
本発明では、単発発光の有効発光時間を基準として、シャッタ全開時間内に有効発光時間が収まる場合には単発発光制御を優先する。これにより、単発発光での同調秒時を短縮することが可能になる。その結果、例えば、明るい屋外において日中シンクロを単発発光で実現することなどが可能となる。
【００５０】
また、本発明では、フラット発光の回数が減り、単発発光の回数が増えるため、閃光装置のバッテリーの使用時間を格段に増やすことができる。
さらに、本発明では、フラット発光制御の場合において使用波高値を発光維持時間の間維持できるか判定し、維持不可能な場合には、発光維持時間維持可能な最大波高値でフラット発光を行う。これにより、露光不足を容認しても露光ムラを防止して、状態のよい写真を得ることができる。
【図面の簡単な説明】
【図１】実施形態の閃光装置と、この閃光装置を装備したカメラの構成とを示す図である。
【図２】単発発光制御の発光波形を示す図である。
【図３】フラット発光制御の発光波形を示す図である。
【図４】実施形態におけるカメラ側の演算制御回路の動作と閃光装置側の演算回路の動作とを示す流れ図である。
【符号の説明】
１    電源
２    電源スイッチ
３    コンデンサ
４    昇圧回路
５    電圧検出回路
６    発光制御回路
７    制御回路
８    測光回路
９    演算回路
１０  記憶部
１１  インターフェース回路
１２  キセノン発光管
２０  撮影レンズ
２１  絞り
２２  クイックリターンミラー
２３  スクリーン
２４  ペンタプリズム
２５  接眼レンズ
２６  フォーカルプレーンシャッタ
２７  フイルム
２８  演算制御回路
２９  インターフェース回路
３０  調光用測光センサ
１００  閃光装置
２００  カメラ
【図１】
2004361445.tif 000003
【図２】
2004361445.tif 000004
【図３】
2004361445.tif 000005
【図４】
2004361445.tif 000006